(57)【特許請求の範囲】
【請求項１】
少なくとも、溶解槽と、沈殿槽と、第１のガラス槽と、第２のガラス槽と、イオン交換カラムと、鉛−２０１収集瓶と、第３のガラス槽と、タリウム−２０３収集瓶と真空装置とから構成された放射性同位元素タリウム−２０１の分離装置であり、
上記溶解槽と第１ガラス槽とが連接され、
第１のガラス槽と、第２のガラス槽と、第３のガラス槽との間に、それぞれ第１の制御弁と第２の制御弁及び第３の制御弁を介して上記それぞれのガラス槽の一方の側に真空装置が連接され、
上記第１のガラス槽の他方の側に第４の制御弁が連接され、
該第４の制御弁を開けば第１のガラス槽の内容物が滴下されて溜まるように上記沈殿槽が配置され、
該沈殿槽には、前記第２の制御弁を開けば該沈殿槽の沈殿物が第２のガラス槽に吸い込まれるように第２のガラス槽が連接され、
上記沈殿槽の底部には三方制御弁の一方の口が連接され、
該三方制御弁の少なくとも他の一方の口は第３のガラス槽に連接され、
上記第２のガラス槽の他方の側に第５の制御弁を介してイオン交換カラムが連接され、
上記イオン交換カラムの他方の側に第６の制御弁を介して鉛−２０１収集瓶が連接され、
上記第３のガラス槽の他方の側に第７の制御弁を介してタリウム−２０３収集瓶が連接されることを特徴とする放射性同位元素タリウム−２０１の分離装置。
【請求項２】
当該三方制御弁の残りの一方の口には、第８の制御弁が連接されることを特徴とする請求項１に記載の放射性同位元素タリウム−２０１の分離装置。
【発明の詳細な説明】
【技術分野】
【０００１】
本発明は、放射性同位元素タリウム−２０１の分離装置に関し、特に、迅速に純度が比較的に高い鉛−２０１溶液を分離でき、そして、当該鉛−２０１溶液に対して、核分裂とイオン交換を行って放射性同位元素タリウム−２０１が得られる分離装置に関する。
【背景技術】
【０００２】
タリウム−２０１塩化第一タリウムは、心筋によって素早く吸収されて心筋に集中するため、心臓病を診断するための心筋造影に利用され、また、腫瘍造影等の他の医療診断に利用され、そのため、タリウム−２０１は、内外の核医学分野において、使用量が最も多い放射性同位元素の一つである。
【０００３】
一般の、タリウム−２０１の製造方法は、文献「Ｑａｉｍ Ｓ．Ｍ．、Ｗｅｉｎｒｅｉｃｈ Ｒ． ａｎｄ Ｏｌｌｉｇ Ｈ．、Ｐｒｏｄｕｃｔｉｏｎ
ｏｆ Ｔｌ−２０１ ａｎｄ Ｐｂ２０３ ｖｉａ
Ｐｒｏｔｏｎ Ｉｎｄｕｃｅｄ Ｎｕｃｌｅａｒ Ｒｅａｃｔｉｏｎ ｏｎ
Ｎａｔｕｒａｌ Ｔｈａｌｌｉｕｍ、 Ｉｎｔｅｒｎａｔｉｏｎａｌ Ｊｏｕｒｎａｌ ｏｆ Ａｐｐｌｉｅｄ Ｒａｄｉａｔｉｏｎ
ａｎｄ Ｉｓｏｔｏｐｅｓ、３０（１９７９）ｐｐ．８５−９５．」に記載されているように、直接的に清水洗によりタリウム−２０１を洗い出す。しかし、清水洗によってタリウム−２０１を洗い出す時、タリウム−２０１に不純物が存在するため、作造されたタリウム−２０１の純度が比較的に低いから、実用的とは言えない。
【発明の開示】
【発明が解決しようとする課題】
【０００４】
本発明の主な目的は、タリウム−２０３固体ターゲット材料から迅速に鉛−２０１溶液を分離でき、そして、鉛−２０１溶液に対して核分裂とイオン交換を行って放射性同位元素タリウム−２０１が得られる放射性同位元素タリウム−２０１の分離装置を提供する。
【課題を解決するための手段】
【０００５】
本発明は、上記の目的を達成するために、少なくとも、溶解槽と、沈殿槽と、第１のガラス槽と、第２のガラス槽と、イオン交換カラムと、鉛−２０１収集瓶と、第３のガラス槽と、タリウム−２０３収集瓶と、真空装置とから構成され、上記溶解槽と第１のガラス槽とが連接され、それぞれ第１の制御弁と第２の制御弁及び第３の制御弁を介してそれぞれの上記ガラス槽が真空装置と連接され、第１のガラス槽の他の側には第４の制御弁が連接され、該第４の制御弁を開けばその内容物が滴下されて溜まるように上記沈殿槽が配置され、該沈殿槽には第２のガラス槽が連接され、上記沈殿槽の底部には三方制御弁の一方の口が連接され、該三方制御弁の少なくとも他の一方の口は第３のガラス槽に連接され、上記第２のガラス槽の他方の側に第５の制御弁を介してイオン交換カラムが連接され、上記イオン交換カラムの他方の側に第６の制御弁を介して鉛−２０１収集瓶が連接され、上記第３のガラス槽の他方の側に第７の制御弁を介してタリウム−２０３収集瓶が連接される放射性同位元素タリウム−２０１の分離装置である。
【発明を実施するための最良の形態】
【０００６】
図１は、本発明の基本構造概念図である。図のように、本発明は、放射性同位元素タリウム−２０１の分離装置であり、少なくとも、溶解槽１と、沈殿槽４と、第１のガラス槽３と、第２のガラス槽５と、イオン交換カラム６と、鉛−２０１収集瓶７と、第３のガラス槽８と、タリウム−２０３収集瓶９と、真空装置２とから構成され、上記溶解槽１と第１のガラス槽３とが連接され、それぞれ第１の制御弁２１と第２の制御弁２２及び第３の制御弁２３を介してそれぞれの上記ガラス槽が真空装置２と連接され、第１のガラス槽３の他の側には第４の制御弁３１が連接され、該第４の制御弁３１を開けばその内容物が滴下されて溜まるように上記沈殿槽４が配置され、該沈殿槽４には第２のガラス槽５が連接され、上記沈殿槽４の底部には三方制御弁４１の一方の口が連接され、該三方制御弁４１の少なくとも他の一方の口は第３のガラス槽８に連接され、上記第２のガラス槽５の他方の側に第５の制御弁５１を介してイオン交換カラム６が連接され、上記イオン交換カラム６の他方の側に第６の制御弁６１を介して鉛−２０１収集瓶７が連接され、上記第３のガラス槽８の他方の側に第７の制御弁８１を介してタリウム−２０３収集瓶９が連接されている。上記の構造により、快速的に鉛−２０１液体を分離できる新規な放射性同位元素タリウム−２０１の分離装置が構成される。
【０００７】
図２は、本発明の一実施例の概念図である。図のように、本発明に係わる分離装置により、タリウム−２０３固体ターゲット材料を分離して、鉛−２０１溶液が分離され、また、当該鉛−２０１溶液に対して核分裂とイオン交換を行うことにより、放射性同位元素タリウム−２０１が得られる。
【０００８】
操作に際して、まず、鉛−２０１を含有するタリウム−２０３固体ターゲット材料を当該溶解槽１に入れ込んでから、１．６Ｎ硝酸と第二鉄イオン及び水を添加し、当該タリウム−２０３固体ターゲット材料が溶液に溶解される。
【０００９】
第１の制御弁２１を開放して、当該真空装置２により全部の鉛−２０１溶液とタリウム−２０３溶液を当該第１のガラス槽３に吸い込み、その後、当該第１の制御弁２１を締めてから、アンモニアを添加して混合し、そして、第４の制御弁３１を開放して、当該第１のガラス槽３内においてアンモニアと混合した鉛−２０１溶液とタリウム−２０３溶液が当該沈殿槽４に滴入し、そして、水を添加して沈殿させ、これにより、当該鉛−２０１とタリウム−２０３の溶液が、タリウム−２０３を含む液体と鉛−２０１を含む沈殿物に分離される。
【００１０】
第２の制御弁２２を開放して、真空装置２により、当該沈殿槽４から、全部の鉛−２０１を含む沈殿物を第２のガラス槽５内に吸い込み、その後、当該第２の制御弁２２を締めてから、８Ｎ塩酸を添加して混合して溶解し、そして、第５の制御弁５１を開放して、当該鉛−２０１溶液が当該イオン交換カラム６に滴入し、そして、樹脂によりイオン交換を行い、これにより、鉛−２０１溶液中の鉄を濾過分離し、続いて、第６の制御弁６１を開放し、純粋な鉛−２０１溶液が鉛−２０１収集瓶７に滴入する。
【００１１】
そして、沈殿槽４に連接される三方制御弁４１と第３の制御弁２３を開放し、真空装置２により、当該沈殿槽４にあるタリウム−２０３溶液を、当該第３のガラス槽８に吸い込んでから、当該第３の制御弁２３を締めるとともに第７の制御弁８１を開放し、これにより、当該第３のガラス槽８内のタリウム−２０３溶液が、当該タリウム−２０３収集瓶９に滴入する。
【００１２】
その後、鉛−２０１収集瓶７から鉛−２０１溶液を取り出して核崩壊させ、鉛−２０１溶液を、タリウム−２０１溶液に核分裂させてから、イオン交換により、放射性同位元素タリウム−２０１が得られる。また、当該三方制御弁４１は、第８の制御弁４２が連接され、窒素ガスの供給を制御できる。
【００１３】
以上のように、本発明に係わる放射性同位元素タリウム−２０１の分離装置は、有効的に従来の様々の欠点を改善でき、迅速にタリウム−２０３固体ターゲット材料から鉛−２０１溶液が分離され、そして、当該鉛−２０１溶液に対して核分裂とイオン交換を行うことにより、放射性同位元素タリウム−２０１が得られ、そのため、本発明は、より実用的なものであるから、法に従って特許出願する。
【００１４】
以上は、ただ、本発明のより良い実施例であり、本発明は、それによって制限されることがなく、本発明に係わる特許請求の範囲や明細書の内容に従って行った等価の変更や修正は、全てが、本発明に係わる特許請求の範囲内に含まれる。
【図面の簡単な説明】
【００１５】
【図１】本発明の基本構造概念図
【図２】本発明の実施例の概念図
【符号の説明】
【００１６】
１       溶解槽
２       真空装置
２１     第１の制御弁
２２     第２の制御弁
２３     第３の制御弁
３       第１のガラス槽
３１     第４の制御弁
４       沈殿槽
４１     三方制御弁
４２     第８の制御弁
５       第２のガラス槽
５１     第５の制御弁
６       イオン交換カラム
６１     第６の制御弁
７       鉛−２０１収集瓶
８       第３のガラス槽
８１     第７の制御弁
９       タリウム−２０１収集瓶
【図１】
0004674727.tif 000002
【図２】
0004674727.tif 000003